(57)【要約】【課題】大面積のセンサは、製造工程が長くなることにより、製造単価が増加する問題が生じる。【解決手段】  Ｘ線を発生させるＸ線ソース部６１０と、Ｘ線ソース部６１０で発生して対象物を通過したＸ線を検出し、複数のセンサを備えたセンサパネルを有するＸ線センサ部６２０と、Ｘ線センサ部６２０に備えられ、センサパネルを移動させるパネル移動部材６２３とを含むことを特徴とするＸ線撮影装置に関する。製造単価が高い大面積のセンサを用いることなく、製造単価が比較的に安価の複数のセンサをバッティングして用いることで、大面積のセンサを用いるときと同様に広い領域を撮影できるだけでなく、Ｘ線撮影装置製造単価を低減できる効果が得られる。【選択図】図２
2011509739.tif 000002
【特許請求の範囲】
【請求項１】
Ｘ線を発生させるＸ線ソース部と、
前記Ｘ線ソース部で発生して対象物を通過したＸ線を検出し、複数のセンサを備えたセンサパネルを有するＸ線センサ部と、
前記Ｘ線センサ部に備えられ、前記センサパネルを移動させるパネル移動部材と
を含むことを特徴とするＸ線撮影装置。
【請求項２】
前記Ｘ線撮影装置は、さらに上部の構造物を支持するベースと、
前記ベースに立設される支持柱と、
前記支持柱に、上下方向に昇降変位可能に設けられる昇降部材と、
前記昇降部材の下部に連結される顎支持部材と、
前記昇降部材の前面上部に連結される回転アーム支持部材と、
前記回転アーム支持部材により支持され、前記昇降部材に設けられて前記Ｘ線ソース部及びＸ線センサ部が備えられた回転アームと、
前記回転アームと前記回転アーム支持部材との間に介在し、前記回転アームを駆動させる回転アーム駆動部材と
を含むことを特徴とする請求項１に記載のＸ線撮影装置。
【請求項３】
前記パネル移動部材は、前記センサパネルを上下、左右及び対角線のうちのいずれか一つ以上の方向に移動させることを特徴とする請求項２に記載のＸ線撮影装置。
【請求項４】
前記パネル移動部材は、前記センサパネルを移動させることにより、前記Ｘ線センサ部がバッティング領域により獲得できなかった映像データを検出することを特徴とする請求項３に記載のＸ線撮影装置。
【発明の詳細な説明】
【技術分野】
【０００１】
本発明は、Ｘ線撮影装置に関し、より詳細には、Ｘ線ソース部、複数のＸ線センサが備えられたセンサパネルを有するＸ線センサ部及びパネル移動部材を含むＸ線撮影装置に関する。
【背景技術】
【０００２】
一般に、医科診療分野におけるＸ線撮影装置は、一定量のＸ線束を、撮影しようとする身体部位に透過させ、Ｘ線センサが前記透過したＸ線の量を測定し、その測定されたデータをメモリに記録し、コンピュータにより身体の撮影部位の各点のＸ線吸収率を求め、これを映像として再構成するものである。
【０００３】
このようなＸ線撮影装置は、Ｘ線光源部とＸ線検出部とを備えているが、前記Ｘ線光源部は、Ｘ線を発生する発生装置を備えており、前記Ｘ線検出部は、Ｘ線をセンシングし、電気的な信号に切り換えるセンサを備える。
【０００４】
このとき、前記センサのサイズが大きいほど広い領域を撮影できる。
【０００５】
しかし、サイズの大きいセンサ、即ち、大面積のセンサは、製造工程が長くなることにより、製造単価が増加する問題が生じる。
【０００６】
従って、前記大面積のセンサを備えるＸ線撮影装置の製造単価も増加するようになる。
【発明の概要】
【発明が解決しようとする課題】
【０００７】
本発明は、前記の問題点を解決するために創案されたものであって、本発明の目的は、Ｘ線ソース部、複数のＸ線センサが備えられたセンサパネルを有するＸ線センサ部及びパネル移動部材を含むＸ線撮影装置を提供することにある。
【課題を解決するための手段】
【０００８】
本発明の一実施例によるＸ線撮影装置は、Ｘ線を発生させるＸ線ソース部、前記Ｘ線ソース部で発生して対象物を通過したＸ線を検出し、複数のセンサを備えたセンサパネルを有するＸ線センサ部及び前記Ｘ線センサ部に備えられ、前記センサパネルを移動させるパネル移動部材を含んでなる。
【０００９】
望ましい実施例において、前記Ｘ線撮影装置は、上部の構造物を支持するベース、前記ベースに立設される支持柱、前記支持柱に上下方向に昇降変位可能に設けられる昇降部材、前記昇降部材の下部に連結される顎支持部材、前記昇降部材の前面上部に連結される回転アーム支持部材、前記回転アーム支持部材により支持され、前記昇降部材に設けられて前記Ｘ線ソース部及びＸ線センサ部が備えられた回転アーム、及び前記回転アームと前記回転アーム支持部材との間に介在し、前記回転アームを駆動させる回転アーム駆動部材をさらに含んでなる。
【００１０】
望ましい実施例において、前記パネル移動部材は、前記センサパネルを上下、左右及び対角線のうちのいずれか一つ以上の方向に移動させる。
【００１１】
望ましい実施例において、前記パネル移動部材は、前記センサパネルを移動させることにより、前記Ｘ線センサ部がバッティング領域により獲得できなかった映像データを検出するようにする。
【発明の効果】
【００１２】
本発明のＸ線撮影装置によれば、Ｘ線ソース部、複数のＸ線センサが備えられたセンサパネルを有するＸ線センサ部及びパネル移動部材を含むＸ線撮影装置を提供することにより、製造単価が高い大面積のセンサの代わりに、複数の小面積のＸ線センサをバッティングして用いることで、前記大面積のセンサを用いるときと同様に広い領域を撮影できるだけでなく、前記Ｘ線撮影装置の製造単価を減少できる効果がある。
【図面の簡単な説明】
【００１３】
【図１】本発明の一実施例によるＸ線撮影装置を説明する構成図である。
【図２】本発明の一実施例によるＸ線センサ部を説明する図である。
【図３】本発明の一実施例によるセンサパネルを説明する図である。
【発明を実施するための形態】
【００１４】
以下、添付した図面を参照し、本発明による実施例を詳細に説明する。
【００１５】
図１は、本発明の一実施例によるＸ線撮影装置を説明する構成図、図２は、本発明の一実施例によるＸ線センサ部を説明する図、図３は、本発明の一実施例によるセンサパネルを説明する図である。
【００１６】
図１を参照すれば、Ｘ線撮影装置１０００は、ベース１００、支持柱２００、昇降部材３００、顎支持部材４００、回転アーム支持部材５００、回転アーム６００及び回転アーム駆動部材で構成される。
【００１７】
前記ベース１００は、前記構成要素が設けられた支持柱２００を支持し、前記支持柱２００は、前記ベース１００の一側に立設されている。
【００１８】
ここで、前記支持柱２００には、前記昇降部材３００が設けられ、前記昇降部材３００には、制御モータなどが備えられており、上下方向に変位可能で、患者の身長に合わせて適切に高さを調節することができる。
【００１９】
また、前記昇降部材３００の下部には、顎支持部材４００が設けられ、前記顎支持部材４００は、患者の顎が位置する所に、患者の頭部がＸ線撮影装置１０００上に位置するようにする。
【００２０】
また、前記昇降部材３００の前面上部には、回転アーム支持部材５００が垂直方向に連結されており、前記回転アーム支持部材５００は、回転アーム駆動部材により前記回転アーム６００を支持する。
【００２１】
ここで、前記回転アーム６００は、Ｘ線を発生させるＸ線ソース部６１０と前記Ｘ線ソース部６１０で発生し、対象物を通過したＸ線を検出するＸ線センサ部６２０とが互いに対向するように配置される。
【００２２】
図２及び図３を参照すれば、前記Ｘ線センサ部６２０は、複数のセンサ６２１を備えたセンサパネル６２２及びパネル移動部材６２３を含んでなる。
【００２３】
ここで、前記複数のセンサ６２１は、それぞれＸ線をセンシングする小面積のセンサであり、前記センサ６２１は、それぞれＸ線をセンシングするセンシング領域６２１ａと前記センサの枠部としてＸ線をセンシングすることができない非センシング領域６２１ｂとに区分される。
【００２４】
このような前記センサ６２１は、互いにバッティングされ、一つの大面積のセンサをなし、前記センサパネル６２２の前面に取り付けられている。これにより前記センサパネル６２２の前面は、前記センサ６２１のそれぞれのセンシング領域６２１ａと、前記センサ６２１をバッティングすることにより発生したギャップと、非センシング領域６２１ｂによりＸ線をセンシングすることができないバッティング領域６２４とに分かれる。
【００２５】
このとき、前記Ｘ線センサ部６２０は、前記センシング領域６２１ａとバッティング領域６２４とが合わせられた全域にわたってＸ線をセンシングすることにより、映像データを検出しなければならない。
【００２６】
しかし、図４に示されているように、前記Ｘ線センサ部６２０は、前記バッティング領域６２４のため完全なデータを獲得することができないので、前記バッティング領域６２４を除いた残りのデータである第１の映像データ７００を検出するようになり、前記第１の映像データ７００から獲得できなかったデータを検出するために、前記センサパネル６２２の後面に前記パネル移動部材６２３を備える。
【００２７】
ここで、前記パネル移動部材６２３は、前記センサパネル６２２を上下、左右及び対角線のうちのいずれか一つ以上の方向に移動させて撮影することにより、前記Ｘ線センサ部６２０は、前記第１の映像データ７００のバッティング領域６２４と重ならない第２の映像データ７１０を検出する。
【００２８】
これにより、図５に示されているように、前記第１の映像データ７００と第２の映像データ７１０とがコンピュータにより結合し、前記第１の映像データ７００のバッティング領域６２４に該当する映像データが補正されることにより、完成した映像データ７２０が得られる。
【００２９】
従って、前記のような構成要素を備えたＸ線撮影装置１０００は、製造単価が高い大面積のセンサを用いることなく、複数の小面積のセンサ６２１を用いて完全な映像データを検出することができ、製造単価が比較的に安価の複数のセンサを用いることにより、前記Ｘ線撮影装置１０００の製造単価を低減できる効果が得られる。
【００３０】
以上から、本発明の構成及び動作を前記の説明及び図面によって示したが、これは、例示して説明したものに過ぎず、本発明の技術的思想及び範囲を逸脱しない範囲内で多様な変化及び変更が可能であることはもちろんのことである。
【符号の説明】
【００３１】
１００・・・ベース      ２００・・・支持柱      ３００・・・昇降部材
４００・・・顎支持部材      ５００・・・回転アーム支持部材
６００・・・回転アーム      ６１０・・・Ｘ線ソース部
６２０・・・Ｘ線センサ部      ６２１・・・センサ
６２１ａ・・・センシング領域        ６２１ｂ・・・非センシング領域
６２２・・・センサパネル      ６２３・・・パネル移動部材
６２４・・・バッティング領域      ７００・・・第１の映像データ
７１０・・・第２の映像データ      ７２０・・・完成した映像データ
１０００・・・Ｘ線撮影装置
【図１】
2011509739.tif 000003
【図２】
2011509739.tif 000004
【図３】
2011509739.tif 000005
【図４】
2011509739.tif 000006
【図５】
2011509739.tif 000007
【国際調査報告】
2011509739.tif 000008
2011509739.tif 000009
2011509739.tif 000010
2011509739.tif 000011